(57)【特許請求の範囲】
【請求項１】
軸筒の外周部に軸筒の材質とは異なる軟材質のグリップを装着して把持部となす筆記具において、前記軸筒の外周部に、前記グリップの外表面よりも低い高さの凸状部を設けるとともに、グリップには、前記凸状部と同一形状の孔部を形成してこの孔部を前記凸状部に被着せしめ、また、前記グリップに、グリップの外表面より前記凸状部の天面に至る深さの透凹部を形成し、更に、このグリップの前記透凹部に隣接する位置に不透の第２の凹部を少なくとも１箇形成して、もって把持部となしたことを特徴とする筆記具の軸筒。
【請求項２】
前記把持部に形成した前記透凹部の底部断面積をその透凹部の上部断面積よりも小さく形成したことを特徴とする請求項１に記載の筆記具の軸筒。
【請求項３】
前記透凹部の外観形状を軸筒の長手方向に直交する横長形状に形成したことを特徴とする請求項１、或いは、請求項２に記載の筆記具の軸筒。
【請求項４】
前記透凹部と前記凸状部の外観形状を軸筒の長手方向に直交する横長形状に形成したことを特徴とする請求項１乃至３のいずれかに記載の筆記具の軸筒。
【請求項５】
前記透凹部を前記把持部の対向する両面に形成したことを特徴とする請求項１乃至４のいずれかに記載の筆記具の軸筒。
【請求項６】
前記透凹部を前記把持部の長手方向に複数形成したことを特徴とする請求項１乃至５のいずれかに記載の筆記具の軸筒。
【発明の詳細な説明】
【０００１】
【発明の属する技術分野】
本発明は、軸筒の外周部に軸筒の材質とは異なる軟材質のグリップを装着した筆記具に関し、特に軸筒の把持部の形成に関する。
【０００２】
【従来の技術】
従来、軸筒の外周部に軸筒の材質とは異なる軟材質のグリップを装着して把持部となし、筆記具の軸筒の触感をソフトにしたものが種々知られている。また、更に、これらのグリップを軸筒に確実に固定することや外観上の装飾を目的として、軸筒に突状部を設け、この突状部をグリップに形成した透孔に嵌着せしめて外方に露出させ、もって把持部を形成したものも知られている。
【０００３】
【発明が解決しようとする課題】
しかし、上記のような従来技術にあっては、グリップの材質やそのグリップの透孔に嵌着した軸筒の突状部の配置によっては求める良好な把持感や筆記時の滑り止め性が得られない場合があった。また、良好な把持感を保ちつつ所要の滑り止め性も両立させるということはかなり難しい問題であった。
【０００４】
【課題を解決するための手段】
本発明は、上記問題点に鑑みてなされたものであり、軸筒の外周部に軸筒の材質とは異なる軟材質のグリップを装着して把持部となす筆記具において、前記軸筒の外周部に、前記グリップの外表面よりも低い高さの凸状部を設けるとともに、グリップには、前記凸状部と同一形状の孔部を形成してこの孔部を前記凸状部に被着せしめ、また、前記グリップに、グリップの外表面より前記凸状部の天面に至る深さの透凹部を形成し、更に、このグリップの前記透凹部に隣接する位置に不透の第２の凹部を少なくとも１箇形成して、もって把持部となしたことを要旨とする。
【０００５】
【実施例】
図１乃至図９に第１例を示し説明する。軸筒１の前方には、前軸２が螺着などにより着脱自在に取り付けられている（図２以下、図中上方を後方といい、下方を前方という）。前記前軸２には軟質の樹脂やゴム材などよりなるグリップ３が固着されており、また、前記前軸２の内側にはコイルスプリングなどの弾撥部材４がその前端を前軸２の内孔に狭持されて取り付けられている。前記軸筒１の内側には、ボールペンや修正具などの筆記体のリフィール５が前記弾撥部材４によって後方に付勢され且つ前後動自在に配置されている。軸筒１の後方には、押圧体６が前後動自在に取り付けされている。
尚、図１乃至図５においては、軸筒１内にボールペンや修正具などの筆記体のリフィル５を配置したものを図示するが、シャープペンシルや、シャープの中軸ユニットを軸筒１内に配置したものであってもよい。また、軸筒１の内側にボールペンや修正具などの筆記体のリフィール５が前後動自在（出没自在）に配置されているものを図示して説明するが、前軸２の先端よりリフィール５やシャープペンシルや、シャープの中軸ユニットを筆記可能に突出させた状態で軸筒１の内側に固定配置した筆記具であってもよい。
【０００６】
次に、前記前軸２およびグリップ３について詳細に説明する。前軸２の外周部には外観形状を軸筒１に対して長手の方向に直交する向きの横長形状に形成した複数の凸状部７が、相対向する両外周面に形成配置されている。そして、これらの凸状部の形状と同一形状の複数の孔部８を相対向する両内周面に形成配置したグリップ３が、その孔部８を前記凸状部に嵌着した状態で前軸２の外周部に取り付けられている。尚、組立上の手間を省くためには、前記凸状部７を形成配置した前軸２の外周部に一体成形などの方法でグリップ３を被着せしめてもよい。
【０００７】
ここで、前記凸状部７の凸高さは、前記グリップ３の外表面よりも低い高さに設定されている。つまり、凸状部７の天面はグリップ３の外表面よりも僅かに低い奥まった位置になっており、グリップ３の外表面からみると、凸状部７の天面に至る深さの透凹部９が前記凸状部７の上に形成されていることになるのである。この透凹部９より凸状部７の天面を外観することができ、また、前記凸状部７が前軸２の外周面上で相対向しているので、前軸２を透明または半透明の材質で形成した場合は、前記透凹部９より前軸２内に配置されたリフィール５を透視できるようになっている。図４に示すように、リフィール５が後退した状態では、リフィール５の透明もしくは不透明前部が注視でき、また、前記リフィール５が前進係止された状態では、リフィール５のインク量を透凹部９より透視することができる（図５参照）。
【０００８】
前記凸状部７および透凹部９は、本例では前記グリップ３の長手略中央部の左右対向する面に３箇所ずつ、合計６箇所に設けられているが、更に、このグリップ３の前記透凹部９に隣接する位置に不透の第２の凹部１０が複数箇所に形成されている。この第２の凹部１０の外観形状と凹部深さなどの寸法は前記透凹部９の形状寸法に略等しく設定されている。そして、この第２の凹部１０はグリップ３の外面上にあって有底不透の凹部になっている。尚、グリップ３の外表面は良好な把持感を得るべく適宜の表面粗さをもって形成されているが、前記第２の凹部１０の表面は、グリップ３の外表面の表面粗さと異なる粗さ（つや面または反対により粗い面粗さ）に仕上げて形成しても良い。また、本例では、グリップ３上に３連に形成配置した透凹部９の下方に隣接する位置に第２の凹部１０を形成配置したものを示したが、グリップ３の長手方向に透凹部９（および凸状部７）と第２の凹部１０を交互に形成配置してもよい。
【０００９】
ここで、図６、図７および図８、図９の各断面図に基づき、前記透凹部９と第２の凹部１０の細部形状について説明する。尚、図６、図７においては、前軸２内に配置されたリフィール５と弾撥体４を省略して図示してある。
前記グリップ３に形成した前記透凹部９および第２の凹部１０は、その底部断面積がその透凹部９および第２の凹部１０の上部断面積よりも小さくなるように形成されている。即ち、透凹部９は底部９ａよりグリップ３の外表面側に向かって広がる形で形成されており、本例においては透凹部９の周壁９ｂが斜面状に形成されている（図６、要部拡大図８、要部拡大図９参照）。また、第２の凹部１０も底部１０ａよりグリップ３の外表面側に向かって広がる形で形成されており、周壁１０ｂが斜面状に形成されている（図７参照）。
【００１０】
次に、作用を説明する。筆記に際し、軸筒１のグリップ３を手指で把持すると前記透凹部９および第２の凹部１０が指の腹の部分に密接せしめられる。この時、前記透凹部９および第２の凹部１０はグリップ３の長手の方向に直交する向きの横長形状で複数個形成されているので、凹部とグリップ面とが交互に細かく刻まれていることになり、前軸２へのグリップ３の確実な固定や外観上の装飾効果を損なうことなく、良質の把持感を保ちつつ、所要の滑り止め性をも確保することができる。ここで、前記凸状部７は透凹部９の底部９ａに露呈しており、把持した指に当接せしめられるが、グリップ３の外表面よりも凸状部７の天面が低い奥まった位置になっているのでグリップ３のソフトな把持感を損なうことがない。
また、前記透凹部９の周壁９ｂおよび第２の凹部１０の周壁１０ｂが斜面状に形成されているので、把持の際の凹凸の違和感が少なく、指の腹部分へのなじみがよいとともに、凹部の隅へ手指の汚れなどが付着たまりすることをも軽減することができる。
尚、横長形状の透凹部９がグリップ３の相対向する両外周面に形成配置されているので、３本の指で自然に把持すれば、相対向する両透凹部９の何れかが指の腹の部分に密接せしめられる。また、第２の凹部１０が透凹部９に隣接して形成配置されているので、凹部の表面粗さを適宜形成してより確実な滑り止め性を訴求することができる。
【００１１】
次に、図１０、図１１に第２例を示し説明する。前記例と同様の構成部分については説明を省略する。本例は、前記第１例の透凹部９の斜面状の周壁９ｂに相当する部分を直立の周壁９ｃと斜面状の周壁９ｄとにより形成したものである。直立の周壁９ｃがあることで、成形金型の加工製作がし易くなる。尚、直立の周壁９ｃの寸法は、適宜設定されてよいが、例えば０．０５ｍｍ程度とすることが好ましい。
図１２、図１３に変形例を示す。透凹部９の周壁を断面Ｒ状の周壁９ｅとして形成したものである。第１例と第２例の効果をともに期待できるものである。
【００１２】
【発明の効果】
本発明は、軸筒の外周部に軸筒の材質とは異なる軟材質のグリップを装着して把持部となす筆記具において、前記軸筒の外周部に、前記グリップの外表面よりも低い高さの凸状部を設けるとともに、グリップには、前記凸状部と同一形状の孔部を形成してこの孔部を前記凸状部に被着せしめ、また、前記グリップに、グリップの外表面より前記凸状部の天面に至る深さの透凹部を形成し、更に、このグリップの前記透凹部に隣接する位置に不透の第２の凹部を少なくとも１箇形成して、もって把持部となしたので、求める良好な把持感や筆記時の滑り止め性を得ることができ、また、良好な把持感を保ちつつ所要の滑り止め性をも両立させることができるという利点を有するものである。
【図面の簡単な説明】
【図１】  本発明を示す外観斜視図。
【図２】  本発明を示す外観図。
【図３】  本発明を示す外観図（リフィール５先端を前軸２より突出させた状態の図）。
【図４】  図２の要部Ａ−Ａ断面拡大図。
【図５】  図３の要部Ｂ−Ｂ断面拡大図。
【図６】  図５のＣ−Ｃ断面拡大図（但し、リフィール５、弾撥体４を省略）。
【図７】  図５のＤ−Ｄ断面拡大図（但し、リフィール５、弾撥体４を省略）。
【図８】  図５のＥ部拡大図。
【図９】  図６のＦ部拡大図。
【図１０】  第２例を示す図（第１例の図８相当図）。
【図１１】  第２例を示す図（第１例の図９相当図）。
【図１２】  変形例を示す図（第１例の図８相当図）。
【図１３】  変形例を示す図（第１例の図９相当図）。
【符号の説明】
１        軸筒
２        前軸
３        グリップ
４        弾撥部材
５        リフィール
６        押圧体
７        凸状部
８        孔部
９        透凹部
９ａ    底部
９ｂ    周壁
９ｃ    直立の周壁
９ｄ    周壁
９ｅ    Ｒ状の周壁
１０        第２の凹部
１０ａ    底部
１０ｂ    周壁
１１        凸状部
１１ａ    天部
１２        透凹部
１２ａ    斜面状の周壁
【図１】
0004348799.tif 000002
【図２】
0004348799.tif 000003
【図３】
0004348799.tif 000004
【図４】
0004348799.tif 000005
【図５】
0004348799.tif 000006
【図６】
0004348799.tif 000007
【図７】
0004348799.tif 000008
【図８】
0004348799.tif 000009
【図９】
0004348799.tif 000010
【図１０】
0004348799.tif 000011
【図１１】
0004348799.tif 000012
【図１２】
0004348799.tif 000013
【図１３】
0004348799.tif 000014